【手続補正書】
【提出日】平成20年9月8日(2008.9.8)
【手続補正１】
【補正対象書類名】明細書
【補正対象項目名】特許請求の範囲
【補正方法】変更
【補正の内容】
【特許請求の範囲】
【請求項１】  接触部と、電気モータ（６）と、前記電気モータ（６）から少なくとも１つの接触部（４、５）までの運動を変換する機械的連結装置（４１）とを具備するスイッチング装置を制御および調節する方法であって、
少なくとも１つの接触部の位置、速度および／または加速度を取得し、および動作中に少なくとも１つの接触部の位置、速度および／または加速度を制御することを含み、スイッチング装置の事象およびスイッチング装置に関する測定値をログ記録および格納することを特徴とする方法。
【請求項２】  前記少なくとも１つの接触部の位置、速度および／または加速度を実時間で適応的に制御することを特徴とする請求項１に記載の方法。
【請求項３】  電気モータ（６）は回転モータであり、前記少なくとも１つの接触部の位置、速度および／または加速度はロータ（１３）の位置、速度および／または加速度から取得されることを特徴とする請求項１または請求項２に記載の方法。
【請求項４】  電気モータ（６）は回転モータであり、電気モータ（６）のロータ（１３）の位置、速度および／または加速度を制御することにより前記少なくとも１つの接触部の位置、速度および／または加速度を制御することを特徴とする請求項１ないし請求項３のいずれか１項に記載の方法。
【請求項５】  特定の電流を遮断することにより、少なくとも１つの接触部の位置、速度および／または加速度を、動作中に制御することを特徴とする請求項１ないし請求項４のいずれか１項に記載の方法。
【請求項６】  少なくとも１つの接触部の位置、速度および／または加速度を動作中に制御して、スイッチング装置を流れる電流のゼロ交差と同期化した遮断動作時に、接触部を離間させることを特徴とする請求項１ないし請求項５のいずれか１項に記載の方法。
【請求項７】  少なくとも１つの接触部の位置、速度および／または加速度を動作中に制御して、スイッチング装置の電圧と同期化した閉動作時に接触部を接触させることを特徴とする請求項１ないし請求項４のいずれか１項に記載の方法。
【請求項８】  事象および故障に関する情報を事象／故障ログに格納することを特徴とする請求項１ないし請求項７のいずれか１項に記載の方法。
【請求項９】  動作からの特徴パラメータを動作ログに格納することを特徴とする請求項１ないし請求項８のいずれか１項に記載の方法。
【請求項１０】  前記パラメータが接触部（４、５）の位置、速度および／または加速度、ロータ（１３）の位置、速度および／または加速度、動作に要求されるエネルギーおよび／または動作中のスイッチング装置の温度のパラメータを含むことを特徴とする請求項９に記載の方法。
【請求項１１】  前記パラメータは動作中のスイッチング装置の電圧およびスイッチング装置を流れる電流のパラメータを含むことを特徴とする請求項９または請求項１０に記載の方法。
【請求項１２】  スイッチング装置の最終動作からの詳細データを最終動作ログに格納することを特徴とする請求項９ないし請求項１１のいずれか１項に記載の方法。
【請求項１３】  電気エネルギーがコンバータ（４４）を介してモータ（６）に供給されることと、前記データが接触部（４、５）の位置、速度および／または加速度、ロータ（１３）の位置、速度および／または加速度、コンバータの動作、動作に要求されるエネルギーおよび／またはスイッチング装置の温度に関する時間の経過に伴うデータを含むこととを特徴とする請求項１２に記載の方法。
【請求項１４】  前記データがスイッチング装置の電圧およびスイッチング装置を流れる電流の時間の経過に伴うデータを含むことを特徴とする請求項１２または請求項１３に記載の方法。
【請求項１５】  動作と動作の間、および動作中のスイッチング装置の電圧およびスイッチング装置を流れる電流のデータを、長時間ログに格納することを特徴とする請求項１ないし請求項１４のいずれか１項に記載の方法。
【請求項１６】  プロセッサを用いて取得した情報を処理し、および／または関連する指令を出し、当該プロセッサはコンピュータプログラムに基づいて動作することを特徴とする請求項１ないし請求項１５のいずれか１項に記載の方法。
【請求項１７】  接触部、電気モータ（６）および電気モータ（６）から少なくとも１つの接触部までの運動を変換する機械的な連結装置（４１）を具備するスイッチング装置の状態を評価する方法であって、当該スイッチング装置の構成要素に対して自己診断テストを実行することを特徴とする方法。
【請求項１８】  前記テストは１以上の小規模なモータの運動を行うこと含むことを特徴とする請求項１７に記載の方法。
【請求項１９】  スイッチング装置の動作のための電気エネルギーを格納する格納手段をさらに具備するスイッチング装置に関する請求項１７または請求項１８に記載の方法であって、前記テストが前記格納手段をわずかに充電または放電することを含むことを特徴とする方法。
【請求項２０】  外部命令の結果または内部状態による誘発の結果として、前記テストを実行することを特徴とする請求項１７ないし請求項１９のいずれか１項に記載の方法。
【請求項２１】  接触部（４、５）、電気モータ（６）、および電気モータ（６）から少なくとも１つの接触部（４、５）までの運動を変換する機械的連結装置（４１）を具備し、少なくとも１つの接触部の位置、速度および／または加速度を取得するための記録手段と、少なくとも１つの接触部の位置、速度および／または加速度を動作中に制御するための制御手段とをさらに具備するスイッチング装置であって、当該スイッチング装置がスイッチング装置の事象およびスイッチング装置に関する測定値を記録および格納するための手段を具備することを特徴とするスイッチング装置。
【請求項２２】  前記制御手段は、動作中に実時間で少なくとも１つの接触部の位置、速度および／または加速度を適応的に制御するための制御手段であることを特徴とする請求項２１に記載のスイッチング装置。
【請求項２３】  電気モータ（６）が回転モータであることと、前記記録手段（４２）が電気モータ（６）のロータ（１３）の位置、速度および／または加速度を取得するように構成されることとを特徴とする請求項２１または請求項２２に記載のスイッチング装置。
【請求項２４】  電気モータ（６）が回転モータであることと、前記制御手段が電気モータ（６）のロータ（１３）の位置、速度および／または加速度を制御するように構成されることとを特徴する請求項２１ないし請求項２３のいずれか１項に記載のスイッチング装置。
【請求項２５】  スイッチング装置の動作のための電気エネルギーの格納手段がキャパシタバンク（４４）および／またはバッテリであることを特徴とする請求項２１ないし請求項２４のいずれか１項に記載のスイッチング装置。
【請求項２６】  前記制御手段（４３）がスイッチング装置により遮断される電流のアンペア値に応じて動作するように構成されることを特徴とする請求項２１ないし請求項２５のいずれか１項に記載のスイッチング装置。
【請求項２７】  前記制御手段が、スイッチング装置を流れる電流のゼロ交差と同期化された遮断動作時に、接触部を離間させるように構成されることを特徴とする請求項２１ないし請求項２６のいずれか１項に記載のスイッチング装置。
【請求項２８】  前記制御手段が、スイッチング装置の電圧と同期化された閉動作時に、接触部を接触させるように構成されることを特徴とする請求項２１ないし請求項２７のいずれか１項に記載のスイッチング装置。
【請求項２９】  動作からの特性パラメータを動作ログにログ記録および格納する手段を具備することを特徴とする請求項２１ないし請求項２８のいずれか１項に記載のスイッチング装置。
【請求項３０】  前記パラメータが、接触部の位置、速度および／または加速度、ロータ（１３）の位置、速度および／または加速度、動作に要求されるエネルギーおよび動作中のスイッチング装置の温度のパラメータを含むことを特徴とする請求項２９に記載のスイッチング装置。
【請求項３１】  前記パラメータが動作中のスイッチング装置の電圧およびスイッチング装置を流れる電流のパラメータを含むことを特徴とする請求項２９または請求項３０に記載のスイッチング装置。
【請求項３２】  スイッチング装置の最終動作から詳細データを最終動作ログにログ記録および格納する手段を具備することを特徴とする請求項２１ないし請求項３１のいずれか１項に記載のスイッチング装置。
【請求項３３】  コンバータ（４４）を含むことと、前記データが接触部（４、５）の位置、速度および／または加速度、ロータ（１３）の位置、速度および／または加速度、動作に要求されるエネルギーおよび／またはスイッチング装置の温度に関連する時間の経過に伴うデータを含むこととを特徴とする請求項３２に記載の装置。
【請求項３４】  前記データがスイッチング装置の電圧およびスイッチング装置を流れる電流の時間の経過に伴うデータを含むことを特徴とする請求項３２または請求項３３に記載のスイッチング装置。
【請求項３５】  動作と動作の間、および動作中のスイッチング装置の電圧およびスイッチング装置を流れる電流のデータを長時間ログに格納する手段を具備することを特徴とする請求項２１ないし請求項３４のいずれか１項に記載のスイッチング装置。
【請求項３６】  スイッチング装置がプロセッサとコンピュータプログラム製品とを具備し、当該プロセッサはスイッチング装置に関する情報を処理し、および／またはスイッチング装置に指令を出すように構成され、当該プロセッサはコンピュータプログラム製品のコンピュータプログラムに基づいて動作することを特徴とする請求項２１ないし請求項３５のいずれか１項に記載のスイッチング装置。
【請求項３７】  接触部（４、５）、電気モータ（６）、および電気モータから少なくとも１つの接触部までの運動を変換する機械的連結装置（４１）を具備し、自己診断テストを行うテスト手段をさらに具備することを特徴とするスイッチング装置。
【請求項３８】  前記テスト手段が小規模なモータの運動を行う手段を含むことを特徴とする請求項３７に記載のスイッチング装置。
【請求項３９】  スイッチング装置の動作のための電気エネルギーを格納するための格納手段をさらに具備し、自己診断テストを行う手段が前記格納手段をわずかに充電または放電する手段を含むことを特徴とする請求項３７または請求項３８に記載のスイッチング装置。
【請求項４０】  外部命令の結果、および／または、内部状態の結果として、自己診断テストを開始する手段を具備することを特徴とする請求項３７ないし請求項３９のいずれか１項に記載のスイッチング装置。
【請求項４１】  コンピュータプログラムがプロセッサに対し請求項１６に記載の方法を実行する指令を含むことを特徴とするコンピュータプログラム。
【請求項４２】  請求項４１に記載のコンピュータプログラムを記録したコンピュータで読取り可能な媒体。
【請求項４３】  請求項３６に記載のスイッチング装置のプロセッサに対する指令を含むことを特徴とするコンピュータプログラム。
【請求項４４】  請求項４３に記載のコンピュータプログラムを記録したコンピュータで読取り可能な媒体。
【請求項４５】  ネットワークを介して供給されることを特徴とする請求項４１または請求項４３に記載のコンピュータプログラム。